(57)【要約】【課題】  従来に比べて搬送物の搬送効率を高めることができるシャックルの提供。【解決手段】  リンクチェーンに搬送器具が連結されてなるチェーンコンベヤにおいて、前記リンクチェーンと前記搬送器具とを連結させるために使用されるシャックルであって、互いに平行に向き合う２本の脚部３，３と、これら脚部の長さ方向後端部から前記脚部３，３に対して垂設され、全体として略楕円環状に形成されることで前記２本の脚部を連結する環状部２とを備え、前記２本の脚部３，３には、前記シャックルの側面から見て前記環状部２の真下にボルト挿通用の第１貫通孔３１が対向する脚部同士で軸心を一致させて形成されるとともに、前記脚部の長さ方向手前側にボルト挿通用の第２貫通孔３２が対向する脚部同士で軸心を一致させて形成されている。【選択図】    図１
2006027878.tif 000002
【特許請求の範囲】
【請求項１】
リンクチェーンに搬送器具が連結されてなるチェーンコンベヤにおいて、前記リンクチェーンと前記搬送器具とを連結させるために使用されるシャックルであって、
互いに平行に向き合う２本の脚部と、これら脚部の長さ方向後端部から前記脚部に対して垂設され、全体として略楕円環状に形成されることで前記２本の脚部を連結する環状部とを備え、
前記２本の脚部には、前記シャックルの側面から見て前記環状部の真下にボルト挿通用の第１貫通孔が対向する脚部同士で軸心を一致させて形成されるとともに、前記脚部の長さ方向手前側にボルト挿通用の第２貫通孔が対向する脚部同士で軸心を一致させて形成されていることを特徴とするシャックル。
【請求項２】
前記リンクチェーンと前記搬送器具としての平板状のフライトとを連結させるために使用されることを特徴とする請求項１に記載のシャックル。
【発明の詳細な説明】
【技術分野】
【０００１】
本発明は、チェーンコンベヤを構成するリンクチェーンと搬送器具とを連結させるために使用されるシャックルに関する。
【背景技術】
【０００２】
工場やごみ焼却場などで発生する搬送物を低所の投入部から高所の排出部まで搬出する場合等に使用されるチェーンコンベヤとしては、例えば、長円環状に形成されたリンクを連結した無端状のリンクチェーン２本を平行に配設し、搬送物の搬送中に搬送物を保持する搬送器具が前記リンクチェーン間に所定間隔で並列に架け渡して連結されてなるものが使用されている。
【０００３】
図９に示すように、搬送器具として平板状のフライト４２を用いた場合、モーター４３により駆動用スプロケット４４，４４が矢印方向に回転駆動され、図中紙面手前側と奥側に配設された平行する左右２本のリンクチェーン４５，４５がそれぞれ他のスプロケット４６，４６，・・・に噛み合ってチェーンコンベヤ４１の往路（図９では上方向）と復路（図９では下方向）を循環して走行する。これによりベルトコンベヤ４７で運ばれた搬送物４８が供給部４９を介して低所の水平部５０へ供給され、水平部５０を図中右方向へ走行するフライト４２，４２・・・が前記供給された搬送物４８を順次保持する。続いて、搬送物４８を保持したフライト４２は、スプロケット４６，４６により走行方向を垂直方向へと変えられる。そして、フライト４２は垂直部５１を上昇し、スプロケット４６，４６により走行方向を水平方向に変えられて高所の水平部５２を走行し、搬送物４８は水平部５２の途中にある排出部５３へ排出される。
【０００４】
搬送物４８として泥岩及び半固結粘土や固結シルト等の土丹、水分の多い土・小石若しくは粘度質の土を搬出する場合、搬送物４８を排出したフライト４２の搬送物保持面には通常搬送物が付着している。このため、水平部５２に沿って配設された、フライト４２よりやや細幅の残留物除去装置５４（例えば、鉄板）をフライト４２に当接させつつ上方から下方にスライドさせることによりにフライト４２に付着した残量物を掻き取って除去するようにしている。掻き取り終了後に前記残留物除去装置５４は上方へ移動して次のフライト４２が近づくと下方へ移動し、上記と同様の掻き取り動作を繰り返す。そして、掻き取りが終了したフライト４２はスプロケット４４，４４を介して復路における垂直部５５、それに続く低所の水平部５６を走行することで、往路と復路を繰り返し循環して搬送物４８を低所から高所へと搬送する。
【０００５】
上記のようなチェーンコンベヤ４１においては、フライト４２とリンクチェーン４５とを連結させるためにシャックルが使用される。例えば図１０に示すように、従来のシャックル６１としては、略楕円環状の環状部６２と、この環状部６２に連続して、環状部６２の径方向外側に突出して平行に設けられた２本の脚部６３，６３とを備え、前記脚部６３には、対向する脚部同士で軸心が一致するように各２個のボルト挿通孔６４が形成されているものが用いられている（特許文献１参照）。
【０００６】
上記シャックル６１の使用方法としては、図１１及び図１２に示すように、リンクチェーン４５を構成するリンク４５ａ間に前記シャックル６１を所定間隔ごとに組み込んで全体として１本の無端状リンクチェーン４５を構成し、かかるリンクチェーン４５を２本用いて対向する各シャックル６１，６１を平行に配設する。そして、フライト４２の両端縁部を対向する２つのシャックル６１，６１で連結させる。シャックル６１とフライト４２との連結は、あらかじめフライト４２の両端縁部にボルト通し孔（図示せず）をそれぞれ２個ずつ形成しておき、前記ボルト通し孔と前記ボルト挿通孔６４とが重なるように、各シャックル６１の脚部６３をフライト４２の縁部に挟み込み、ボルト６５を前記ボルト挿通孔６４とボルト通し孔に挿通してナット（図示せず）で締め付けることにより行う。
【０００７】
しかしながら、フライト４２の両端縁部に連結された２個のシャックル６１，６１は、その脚部６３，６３が互いに向い合っているため、上記した残留物除去装置５４でフライト４２に付着した残留物を除去する場合、掻き取り幅として最大Ｗ２しか確保することができない。このため、フライト４２の残留物支持面のうち、シャックル６１の脚部６３の上側部分または下側部分に付着した残留物は掻き取られることなく、結果として排出部５３に排出されずにチェーンコンベヤ４１を循環してしまい、所定時間で搬送物４８を排出部５３へ排出できる量が少なくなる、すなわち搬送物４８の搬送効率が低くなるという問題点があった。
【特許文献１】登録実用新案第３００３３８７号公報
【発明の開示】
【発明が解決しようとする課題】
【０００８】
本発明は上記問題点に鑑みてなされたものであり、その目的は、従来に比べて搬送物の搬送効率を高めることができるシャックルを提供することにある。
【課題を解決するための手段】
【０００９】
請求項１の発明は、リンクチェーンに搬送器具が連結されてなるチェーンコンベヤにおいて、前記リンクチェーンと前記搬送器具とを連結させるために使用されるシャックルであって、互いに平行に向き合う２本の脚部と、これら脚部の長さ方向後端部から前記脚部に対して垂設され、全体として略楕円環状に形成されることで前記２本の脚部を連結する環状部とを備え、前記２本の脚部には、前記シャックルの側面から見て前記環状部の真下にボルト挿通用の第１貫通孔が対向する脚部同士で軸心を一致させて形成されるとともに、前記脚部の長さ方向手前側にボルト挿通用の第２貫通孔が対向する脚部同士で軸心を一致させて形成されていることを特徴とする。
【００１０】
請求項２の発明は、請求項１に記載のシャックルにおいて、前記リンクチェーンと前記搬送器具としての平板状のフライトとを連結させるために使用されることを特徴とする。
【発明の効果】
【００１１】
本発明のシャックルによれば、例えば、平行に配設された２本のリンクチェーンに搬送器具が架け渡して連結されてなるチェーンコンベヤに適用した場合、対向する各シャックルの脚部を互いに平行に配置した状態で、搬送器具の両端縁部に沿ってシャックルを連結させることができる。このため、例えば搬送器具として平板状のフライトを用いた場合、残留物除去装置による掻き取り幅を従来に比べて広げることができる。よって、従来のシャックルに比べてフライトに付着した残留物をより多く掻き取り除去して排出部へ排出することができるので搬送物の搬送効率を高めることができる。また、例えば搬送器具として搬送物の収納部を有するバケットを用いた場合、本発明のシャックルと連結させるバケットの両端縁部に形成されたフランジの幅を従来に比べて狭くすることができる。このため、搬送物の収納容量を従来のバケットに比べて多くすることができるので、従来のシャックルに比べて搬送物の搬送効率を高めることができる。
【発明を実施するための最良の形態】
【００１２】
次に、添付図面を参照しながら本発明を詳細に説明する。図１は本発明の一実施例を示すシャックル１の外観斜視図であり、図２と図３は、それぞれ図１のシャックル１の正面図と右側面図である。シャックル１は、一般汎用鋼材を鍛造して、熱処理（焼入・焼戻）を施して製造されるものであり、互いに平行に向き合う２本の脚部３，３と、これら脚部３の長さ方向後端部から前記脚部３に対して垂設され、全体として略楕円環状に形成された環状部２を備えており、この環状部２により前記２本の脚部３，３が連結されている。
【００１３】
環状部２は、半円環状に形成された左右２つの湾曲部２１，２１と、これらの各湾曲部２１，２１と連続する直線棒状の直線部２２とからなる。脚部３，３は、全体として角柱棒状とされており、前記湾曲部２１の下部に連続して、該湾曲部２１に対して略直角方向に突設されており、各々が平行に配置されている。２本の脚部３，３には、図３に示すように、シャックル１の側面から見て環状部２の真下にボルト挿通用の第１貫通孔３１，３１が対向する脚部３，３同士で軸心を一致させて形成されるとともに、前記脚部３の長さ方向手前側（図中、矢印Ｘと反対方向）にボルト挿通用の第２貫通孔３２，３２が対向する脚部３，３同士で軸心を一致させて形成されている。また、前記環状部２の下部後側には、前記脚部３に近づくにしたがって前記脚部３の後端へ向けて幅広となる傾斜部２３が形成されている。
【００１４】
シャックル１の使用方法を説明すると、図４と図５に示すように、リンクチェーン４５を構成するリンク４５ａ間にシャックル１の環状部２を所定間隔ごとに組み込んで全体として１本の無端状リンクチェーン４５を構成し、かかるリンクチェーン４５を２本用いて対向する各シャックル１，１を平行に配設する。そして、各シャックル１，１の脚部３，３が搬送容器としてのフライト４２の両端縁部に沿うように配置してシャックル１，１をフライト４２に連結させる。シャックル１とフライト４２との連結は、あらかじめフライト４２の両端縁部に沿ってボルト通し孔（図示せず）をそれぞれ２個ずつ形成しておき、前記各ボルト通し孔と前記各貫通孔３１，３２とが重なるように、シャックル１の脚部３をフライト４２の縁部に挟み込み、ボルト３４を前記貫通孔３１，３２と前記各ボルト通し孔に挿通してナット３５で締め付けることにより行う。
【００１５】
上記のように構成されるシャックル１によれば、対向する各シャックル１，１の脚部３，３を互いに平行に配置した状態で、フライト４２の両端縁部に沿ってシャックル１，１を連結させることができる。このため、前記残留物除去装置５４による掻き取り幅Ｗ１を従来のシャックルを用いた場合の掻き取り幅Ｗ２に比べて広げることがきる。よって、従来のシャックルに比べてフライト４２の保持面に付着した残留物をより多く掻き取り除去してチェーンコンベヤの高所にある排出部へ排出することができるので、搬送物の搬送効率を高めることができる。
【００１６】
また、シャックル１の脚部３は環状部２と直交してフライト４２に連結されている。このため、環状部２と脚部３の連結部分にかかる加重が軽減され、従来のシャックルに比べて破断加重を増加させることができる。さらに、シャックル１は、環状部２の下部後側に、脚部３に近づくにしたがって前記脚部３の後端へ向けて幅広となる傾斜部２３が形成されており、かかる傾斜部２３を設けることによっても破断加重を増加させることに寄与している。
【００１７】
なお、本発明は図示の実施形態に限定されるものではなく、その要旨を逸脱しない範囲でシャックルの各部材の形状・大きさ・位置等は適宜変更することができる。例えば、図１〜５では、脚部３に第１貫通孔３１と第２貫通孔３２が形成されたシャックル１を示したが、掻き取り幅Ｗ１が確保できれば貫通孔の個数は必ずしも２個に限定されるものではなく３個若しくはそれ以上でもよい。脚部３に貫通孔を３個形成する場合、シャックルの側面から見て環状部の真下に第１貫通孔を形成し、この貫通孔の手前側に貫通孔を２個形成してもよいし、図６に示すように、前記第１貫通孔３１の前後に第２貫通孔３２と第３貫通孔３３をそれぞれ形成してもよい。
【００１８】
また、シャックル１が連結される搬送器具についても、図示例及び従来から公知のフライトに限定されず、搬送物の収納部を有するバケットに対しても同様に適用することができる。前記バケットに本発明のシャックルを連結する場合、シャックルと連結させるバケットの両端縁部に形成されたフランジの幅を従来に比べて狭くすることができる。このため、搬送物の収納容量を従来に比べて多くすることができるので、フライトに適用した場合と同様にして、従来のシャックルに比べて搬送物の搬送効率を高めることができる。
【００１９】
さらに、上記の説明では、シャックル１を図９に示したダブルチェーンコンベヤ４１に適用した場合におけるシャックル１の使用方法と作用効果について主として説明したが、本発明のシャックル１は種々の形式によるコンベヤについてももちろん適用可能である。例えば、水平から斜め上方に向けて搬送物を搬送する場合には、斜め上方に傾斜して平行に配設された一ないし複数本（例えば、１〜４本程度）の無端状リンクチェーンに搬送器具が連結されてなるチェーンコンベヤが用いられるが、本発明のシャックル１はかかるチェーンコンベヤに対しても適用することができる。
【００２０】
例えば、図７に示すように、斜め上方に傾斜して延びる搬送物の搬送面（図示せず）上に沿って斜め上方に傾斜して平行に配設された３本の無端状リンクチェーン４５を備えたチェーンコンベヤに対しては、各リンクチェーン４５を構成するリンク４５ａ間にシャックル１を所定間隔ごとに組み込み、隣接するリンクチェーン４５間に搬送器具（図示例ではフライト４２）を架け渡すようにして連結することができる。また、図８に示すように、斜め上方に傾斜して延びる搬送物の搬送面（図示せず）上に沿って斜め上方に傾斜して配設された１本の無端状リンクチェーン４５を備えたチェーンコンベヤ（通常このようなコンベヤを「片持ちコンベヤ」という）に対しては、各リンクチェーン４５を構成するリンク４５ａ間にシャックル１を所定間隔ごとに組み込み、搬送器具（図示例ではフライト４２）の縁部を片側だけで支持するように連結することができる。
【図面の簡単な説明】
【００２１】
【図１】本発明の一実施例を示すシャックルの外観斜視図である。
【図２】図１のシャックルの正面図である。
【図３】図１のシャックルの右側面図である。
【図４】図１のシャックルの使用状態を示す説明図であり、ダブルチェーンコンベヤに適用した例である。
【図５】図４を上方から見た説明図である。
【図６】本発明の他の実施例を示すシャックルの外観斜視図である。
【図７】チェーン３本を平行に配設したチェーンコンベヤにシャックル１を適用した場合の説明図であり、（ａ）はシャックル１とフライト４２の連結状態を示す説明図、（ｂ）は前記コンベヤを上方から見た説明図である。
【図８】チェーン１本を配設したチェーンコンベヤにシャックル１を適用した場合の説明図であり、（ａ）はシャックル１とフライト４２の連結状態を示す説明図、（ｂ）は前記コンベヤを上方から見た説明図である。
【図９】搬送器具としてフライトを用いたダブルチェーンコンベヤの概略構成図である。
【図１０】従来のシャックルを示す外観斜視図である。
【図１１】図１０のシャックルの使用状態を示す説明図であり、ダブルチェーンコンベヤに適用した例である。
【図１２】図１１を上方から見た説明図である。
【符号の説明】
【００２２】
１  シャックル
２  環状部
２１  湾曲部
２２  直線部
２３  傾斜部
３  脚部
３１  第１貫通孔
３２  第２貫通孔
３３  第３貫通孔
３４  ボルト
３５  ナット
４１  チェーンコンベヤ
４２  フライト
４３  モーター
４４  駆動用スプロケット
４５  リンクチェーン
４５ａ  リンク
４６  スプロケット
４７  ベルトコンベヤ
４８  搬送物
４９  供給部
５０  水平部
５１  垂直部
５２  水平部
５３  排出部
５４  残留物除去装置
５５  垂直部
５６  水平部
６１  シャックル
６２  環状部
６３  脚部
６４  ボルト挿通孔
６５  ボルト
【図１】
2006027878.tif 000003
【図２】
2006027878.tif 000004
【図３】
2006027878.tif 000005
【図４】
2006027878.tif 000006
【図５】
2006027878.tif 000007
【図６】
2006027878.tif 000008
【図７】
2006027878.tif 000009
【図８】
2006027878.tif 000010
【図９】
2006027878.tif 000011
【図１０】
2006027878.tif 000012
【図１１】
2006027878.tif 000013
【図１２】
2006027878.tif 000014